(57)【特許請求の範囲】
【請求項１】
縦方向に配設されたコンクリート型枠に固定される位置決め板と、
後縁に垂直縁部が連成された受皿部と前記垂直縁部から後方に突成された排水管部とを備えたドレイン本体の、その排水管部に一端が外嵌され、他端が前記位置決め板に嵌合されて、ドレイン本体を前記コンクリート型枠に所要間隔で保持する筒状スペーサと、
前記ドレイン本体の垂直縁部前面で排水管部の開口部を跨いで差し渡される挟圧板をコンクリート型枠側に圧接して、前記筒状スペーサとで垂直縁部及び排水管部を挟持する挟持手段と
を備えたコーナードレインの固定装置において、
前記挟圧板に、前記受皿部上面に延出する支持縁を設け、該支持縁に支持杆を立設するとともに、該支持杆を前記受皿部に乗載された抜き型体に挿通させ、該抜き型体から上方に突出する支持杆の突出部に、抜き型体の上面に当接する押え板を固定手段を介して着脱可能に固定することにより、前記抜き型体を保持するようにしたことを特徴とするコーナードレインの固定装置における抜き型体保持装置。
【発明の詳細な説明】
【０００１】
【発明の属する技術分野】
本発明は、コーナードレインのドレイン本体をコンクリートの打設前にコンクリート型枠に固定するための固定装置にあって、前記ドレイン本体の受皿部の周囲に所定形状の排水溝を形成するための抜き型体を保持する抜き型体保持装置を備えたコーナードレインの固定装置に関する。
【０００２】
【従来の技術】
床面と壁面とが交叉する建物のコーナーに設置されるコーナードレインの施工時にあって、コンクリート型枠に固定したドレイン本体の受皿部上に抜き型体を配設し、ドレイン本体の周囲にコンクリートを打設することにより、前記受皿部の周囲に抜き型体に一致した所定形状の排水溝を形成することができる。このような、抜き型体を用いた排水溝の成形方法にあっては、前記コンクリートの打ち込み圧によって抜き型体が移動しないように、該抜き型体をドレイン本体の受皿部に保持する必要がある。
【０００３】
かかる抜き型体の従来の保持手段は、図６に示すように、コーナードレインのドレイン本体ａを、固定装置ｂによってコンクリート型枠ｃに固定した状態において、前記ドレイン本体ａの受皿部ｄに形成した螺子孔ｅに螺子杆ｆを螺合して立設し、該螺子杆ｆを前記受皿部ｄに乗載した抜き型体ｇの挿通孔ｈに挿通させ、該抜き型体ｇから上方に突出する螺子杆ｆの突出部に、抜き型体ｇの上面に当接する押え板ｉを遊嵌するとともに、その上部からナットｊを螺合することにより、その緊締作用によって、抜き型体ｇを受皿部ｄに圧接して保持するようにしている。
【０００４】
【発明が解決しようとする課題】
かかる従来構成にあっては、ドレイン本体ａの受皿部ｄに、螺子杆ｆを螺合するための螺子孔ｅの形成加工を行う必要があり、施工後に螺子杆ｆを除去すると、該螺子孔ｅが丸見えとなって美観が悪く、また、ドレイン本体ａが鋳鉄製の場合には、耐腐食コーティングを施した後で、前記螺子孔ｅの形成加工が行われるため、該螺子孔ｅが無コーティングとなり、施工後に該螺子孔ｅから錆が発生して腐食が広がるという問題があり、さらに、抜き型体ｇを用いないで施工する場合には螺子孔ｅのないドレイン本体ａが使用されるため、螺子孔ｅ付及び螺子孔ｅなしの２種類のドレイン本体ａを製造しなければならないという問題がある。
【０００５】
本発明は、かかる従来構成の問題を解消し得る抜き型体保持装置の提供を目的とするものである。
【０００６】
【課題を解決するための手段】
本発明は、縦方向に配設されたコンクリート型枠に固定される位置決め板と、後縁に垂直縁部が連成された受皿部と前記垂直縁部から後方に突成された排水管部とを備えたドレイン本体の、その排水管部に一端が外嵌され、他端が前記位置決め板に嵌合されて、ドレイン本体を前記コンクリート型枠に所要間隔で保持する筒状スペーサと、前記ドレイン本体の垂直縁部前面で排水管部の開口部を跨いで差し渡される挟圧板をコンクリート型枠側に圧接して、前記筒状スペーサとで垂直縁部及び排水管部を挟持する挟持手段とを備えたコーナードレインの固定装置において、前記挟圧板に、前記受皿部上面に延出する支持縁を設け、該支持縁に支持杆を立設するとともに、該支持杆を前記受皿部に乗載された抜き型体に挿通させ、該抜き型体から上方に突出する支持杆の突出部に、抜き型体の上面に当接する押え板を固定手段を介して着脱可能に固定することにより、前記抜き型体を保持するようにしたことを特徴とするコーナードレインの固定装置における抜き型体保持装置である。
【０００７】
かかる構成にあって、抜き型体を保持するための支持杆を、挟圧板に設けられた支持縁に立設するようにしたことにより、従来のようにドレイン本体の受皿部に支持杆の下端部を螺着するための螺子孔を形成する必要がなく、施工後に挟圧板を除去すると支持縁に立設した支持杆も同時に除去することができ、また、従来の螺子孔に起因する種々の問題も生じない。
【０００８】
【発明の実施の形態】
以下に、本発明の一実施例を、図１〜図３について説明する。
【０００９】
１は、床面と壁面とが交叉する建物のコーナーに設置されるコーナードレインであって、該コーナードレイン１のドレイン本体２は、後縁に垂直縁部３が連成された受皿部４と、前記垂直縁部３から後方に突成された排水管部５とを備えてなる。該コーナードレイン１は、コンクリートｐの打設前に固定装置６によってコンクリート型枠７の所定位置に固定される。
【００１０】
８は、前記固定装置６を構成する円形の位置決め板であって、該位置決め板８は、縦方向に配設されたコンクリート型枠７の所定位置に釘９等によって固定される。該位置決め板８には筒状スペーサ１０の一端が嵌合され、該筒状スペーサ１０の他端は前記ドレイン本体２の排水管部５の端部に外嵌される。そしてこの筒状スペーサ１０により、ドレイン本体２は前記コンクリート型枠７に所要間隔で保持される。
【００１１】
前記位置決め板８の中央部にはナットを埋設してなる雌螺子部１１が設けられ、該雌螺子部７に基端を螺合することにより螺子杆１２が水平に植設されている。また、前記ドレイン本体２の垂直縁部３の前面には、排水管部５の開口部５’を跨いで挟圧板１３が差し渡されており、該挟圧板１３の中央に形成した透孔１４に前記螺子杆１２を挿通させ、その突出端に蝶ナット１５を螺着して緊締することにより、挟圧板１３をコンクリート型枠７側に圧接させて、該挟圧板１３と前記筒状スペーサ３とで垂直縁部３及び排水管部５を挟持することにより、ドレイン本体２を固定するようにしている。そして、この螺子杆１２及び蝶ナット１５を、挟圧板１３をコンクリート型枠７側に圧接して、筒状スペーサ１０とで垂直縁部３及び排水管部５を挟持する挟持手段としている。
【００１２】
また、ドレイン本体２の垂直縁部３の周囲には、前記コンクリート型枠７と対をなすコンクリート型枠７’が配設されるとともに、ドレイン本体２の受皿部４の下方にもコンクリート型枠（図示省略）が水平状に配設され、該コンクリート型枠の上部、及び前記両コンクリート型枠７，７’間をコンクリートｐの充填空隙としている。
【００１３】
次に、本発明の要部である抜き型体保持装置について説明する。前記挟圧板１３には、抜き型体保持装置を構成する支持縁１６がドレイン本体２の受皿部４の上面に延出するように設けられている。該支持縁１６は、挟圧板１３から下方に延出する垂直片部１６ａと、該垂直片部１６ａの下端から前方に屈曲してドレイン本体２の受皿部４上面に沿って延出する水平片部１６ｂとによりＬ形に形成されており、垂直片部１６ａの上端は挟圧板１３の裏面に溶接によって固着されている。ここで、該支持縁１６は、このように別体形成したものを挟圧板１３に溶接して固着する構成に代えて、支持縁１６と挟圧板１３とを一体形成するようにしてもよい。尚、上記のように支持縁１６を別体形成すると、既存の挟圧板１３を使用し得る利点がある。
【００１４】
前記支持縁１６の水平片部１６ｂの先端部は、受皿部４の略中央に位置しており、該水平片部１６ｂの先端部上面に、ナット１７が溶接によって固着され、そのナット孔を上下方向に延在する雌螺子孔２７としている。ここで、該雌螺子孔２７は、水平片部１６ｂの先端部を上方に筒状に膨出させ、その膨出部上面にバーリング加工を施して雌螺子孔を形成することによって構成するようにしてもよい。そして該雌螺子孔２７に、支持杆１８の下端部に形成した雄螺子部１９ａを上方から螺着することにより、該支持杆１８を支持縁１６の水平片部１６ｂに立設するようにしている。また、該支持杆１８には、下端部の雄螺子部１９ａに連続する雄螺子部１９ｂが全長に亘って形成されている。
【００１５】
また、支持縁１６には、水平片部１６ｂの基部近傍の下面に、ドレイン本体２の排水管部５の内周面に周設された凹溝２０に嵌入する突起部２１が形成されている。
【００１６】
前記支持杆１８は、ドレイン本体２の受皿部４に乗載された抜き型体２２の挿通孔２３に挿通され、該抜き型体２２から上方に突出する支持杆１８の突出部に、抜き型体２２の上面に当接する円形の押え板２４が固定手段を介して着脱可能に固定される。押え板２４は、その中央に雌螺子孔２５が形成され、さらに該雌螺子孔２５を中心として１８０°異なる位置に一対の操作突片２６，２６が上向きに突成されている。そして、雌螺子孔２５を支持杆１８の雄螺子部１９ｂに上方から螺合させ、操作突片２６，２６に指をかけて押え板２４を回転させることにより、該押え板２４がその螺進作用を介して下降して抜き型体２２の上面に圧接し、該抜き型体２２を保持し得るようになっている。そして、前記支持杆１８の雄螺子部１９ｂと、該雄螺子部１９ｂに螺合される押え板２４の雌螺子孔２５とを、押え板２４の固定手段としている。
【００１７】
また、前記抜き型体２２は、図３に示すように、施工形成する排水溝の形状に一致した周縁形状に形成されている。この抜き型体２２は、易破砕性材料からなり、特に発泡スチロールの一体成形品が好適なものとして適用される。この発泡スチロールの一体成形品を用いると、表面が滑らかであるため、打設したコンクリートｐが外周面に固結し難く、また、抜き型体２２の一部にバール等の工具で穴をあけ、該穴に手を掛けて抜き型体２２を引き上げることができるため、コンクリートの硬化後の型抜き作業が容易となる利点がある。
【００１８】
かかる構成にあって、上記のようにドレイン本体２を固定装置６によってコンクリート型枠７の所定位置に固定すると、挟圧板１３に設けられた支持縁１６の先端部が受皿部４上面の略中央に延出された状態となる。そして、この支持縁１６の先端部の雌螺子孔２７に、下端部の雄螺子部１９ａを螺合して支持杆１８を立設させた後、抜き型体２２を上方から受皿部４に乗載して、該抜き型体２２の挿通孔２３に前記支持杆１８を挿通させる。次いで、該抜き型体２２から上方に突出する支持杆１８の雄螺子部１９ｂに、押え板２４の雌螺子孔２５を螺合し、その螺進作用を介して押え板２４を下降させることにより、該押え板２４が抜き型体２２の上面に圧接され、該抜き型体２２が保持される。そして、この状態において、ドレイン本体２及び抜き型体２２の周囲の充填空隙にコンクリートｐが打設される。
【００１９】
ここで、コンクリートｐの打設時にその流圧によって、抜き型体２２に下方向からの押し上げ力が作用し、該抜き型体２２を保持している支持杆１８の支持縁１６に、挟圧板１３を支点とする回転モーメント（図１において左回りの回転モーメント）が生じることとなるのであるが、該支持縁１６の水平片部１６ｂの下面に、ドレイン本体２の凹溝２０に嵌入する突起部２１が形成されていることにより、該突起部２１が、凹溝２０の溝壁に当接して支持杆１８の回転移動が阻止され、かかるコンクリートｐの流圧による抜き型体２２の浮上を防止することができる。尚、支持縁１６に前記回転モーメント力に耐え得る強度があれば、前記突起部２１は必ずしも必要なものではない。
【００２０】
そして、打設したコンクリートｐが硬化したら、押え板２４を前記と逆の操作で支持杆１８から取り外し、抜き型体２２を上方に引き抜いて除去した後、固定装置６の蝶ナット１５を螺子杆１２から外して挟圧板１３を取り外すことにより、支持縁１６と支持杆１８も同時に除去される。また、位置決め板８及び螺子杆１２はコンクリート型枠７を取り外すと同時に除去される。
【００２１】
かかる施工後には、前記抜き型体２２により受皿部４の周囲に、抜き型体２２の周縁形状に合致した排水溝が形成される。
【００２２】
図４は、押え板２４の他の固定手段を示すものであって、押え板２４の中央に支持杆１８を遊嵌する挿通孔２７を形成し、該押え板２４の上部で支持杆１８の雄螺子部１９ｂに螺合される蝶ナット２８と、支持杆１８の雄螺子部１９ｂとによって押え板２４の固定手段を構成したものである。
【００２３】
また、その他の固定手段としては、本願出願人が実開平5-81448 号で提案した図５イ，ロに示すような構成のもの等を適用することができる。これらは、支持杆１８の上部をロッド状の被摺動部１９ｃとし、該被摺動部１９ｃに上方から摺動自在に嵌合される固定具２９を押え板２４の上部位置で固定可能に設けたものであって、このような固定手段を用いると、支持杆１８の上端から固定位置までのねじ込みによる螺進操作が不要であるため、押え板２４の着脱を迅速に行い得る利点がある。
【００２４】
【発明の効果】
本発明は、上述のように、ドレイン本体２の固定装置６を構成する挟圧板１３に、ドレイン本体２の受皿部４上面に延出する支持縁１６を設け、該支持縁１６に抜き型体２２を保持するための支持杆１８を立設するようにしたから、従来のようにドレイン本体２の受皿部４に支持杆１８の下端部を螺着するための螺子孔を形成する必要がない。これにより、施工後に支持杆１８を除去すると受皿部４に螺子孔がないため美観がよく、従来のように該螺子孔から錆が発生して腐食が広がることもなく、さらに、１種類のドレイン本体で、抜き型体２２を用いる施工態様と抜き型体２２を用いない施工態様に夫々対応し得る等の優れた効果がある。
【図面の簡単な説明】
【図１】本発明の実施例の施工状態を示す縦断側面図である。
【図２】本発明の実施例の縦断正面図である。
【図３】同上の平面図である。
【図４】押え板２４の固定手段の他の構成を示す縦断面図である。
【図５】押え板２４の固定手段の他の構成を示す縦断面図である。
【図６】従来構成を示す縦断側面図である。
【符号の説明】
１  コーナードレイン
２  ドレイン本体
３  垂直縁部
４  受皿部
５  排水管部
５’開口部
６  固定装置
７  コンクリート型枠
８  位置決め板
１０  筒状スペーサ
１２  螺子杆（挟持手段）
１３  挟圧板
１５  蝶ナット（挟持手段）
１６  支持縁
１８  支持杆
１９ｂ  雄螺子部（固定手段）
２２  抜き型体
２４  押え板
２５  雌螺子孔（固定手段）
【図１】
0003762034.tif 000002
【図２】
0003762034.tif 000003
【図３】
0003762034.tif 000004
【図４】
0003762034.tif 000005
【図５】
0003762034.tif 000006
【図６】
0003762034.tif 000007